(57)【要約】      （修正有）【課題】遊技店舗内の椅子側面に、ポケットを備えた収納具を着脱自在に取り付け得る椅子用簡易収納具を提供する。【解決手段】座クッションを座板ベースから捲り上げることのできる椅子に取り付けられる収納具であって、収納具本体２の表面側にポケット部３を備え、本体２の裏面側の上縁部に取付けバンド４の基部が固定されて突設し、該取付けバンド４には先端に向けバンド帯地の表裏面にその頭部が突出する複数の突子７、８を突設した。また、先端にフック部材１１を突設した連結索条１２を本体２に着脱可能に取り付けた。【選択図】図１
0003172787.tif 000002
【実用新案登録請求の範囲】
【請求項１】
座クッション２２を座板ベース２１から捲り上げることのできる椅子に取り付けられる収納具であって、収納具本体２の表面側にポケット部３を備え、該本体２の裏面側の上縁部に取付け短バンド４の基部が固定されて突設し、該取付け短バンド４には先端に向けバンド帯地６の表裏面にその頭部が突出する複数の突子７、８を突設した椅子用簡易収納具。
【請求項２】
収納具本体２の表面側にあって、いずれかの取付け短バンド４と一体に本体に固定された取付け片９を備え、該取付け片９に先端にフック部材１１を突設した連結索条１２の基部を着脱可能に設けた椅子用簡易収納具。
【考案の詳細な説明】
【技術分野】
【０００１】
本考案は、主に遊技店等の椅子の側面に自在に取付けられる宣伝及び販売促進のための遊技ガイドなどを収納する椅子用簡易収納具に関する。
【背景技術】
【０００２】
パチンコ店やスロット店等の遊技店の椅子は、座板ベースに座クッションを取り外し可能に嵌め込んだものが使用されている。これは不特定多数の客が座り汚れ易く、傷み易いことから座クッションのみを交換可能とする要請による。また、座クッションの交換により、顧客の視覚的効果を狙い販売促進を意図する場合もある。
【０００３】
また、遊技店では新しい遊技ゲームを導入した場合、客に対しゲーム内容等を説明した遊技ガイドを配布する必要がある。客が遊技しながら遊技ガイドを容易に見られるよう遊技ガイドは客の身近に置いておく必要がある。
【考案の概要】
【考案が解決しようとする課題】
【０００４】
本考案は、このような課題を考慮してなされたものであり、遊技店の椅子の多くが座板ベースに座クッションを嵌め込んだものが使用されていることに着目し、この座板ベースと座クッションにて挟持し、椅子の形状や大きさなどに影響されずに椅子の側面側に垂れ下がるように保持し得る簡易収納具を提供することを目的とする。
【課題を解決するための手段】
【０００５】
上記目的を達成するため、本考案の椅子用簡易収納具は、座クッションを座板ベースから捲り上げることのできる椅子に取り付けられる収納具であって、収納具本体の表面側にポケット部を備え、本体の裏面側の上端縁に複数条の取付け短バンドの基部が固定され、該取付け短バンドは先端に向けバンド地の表裏面にその頭部が突出する複数の突子を突設して構成されている。
【０００６】
また、前記いずれかの取付け短バンドと一体に本体に固定された取付け片を備え、該取付け片の係合穴に、先端にフック部材を突設した連結索条を着脱可能に設けて構成されている。
【考案の効果】
【０００７】
本考案によれば、簡易収納具の突子付きの短バンドを、遊技店用の椅子の座クッションを捲り上げて座板ベース内に置き、座クッションを嵌め戻すときに座クッションの押し圧にて前記突子付きの短バンドを座板フレームと座クッションの間で挟持して簡易収納具は取り付けられる。本考案によれば、座板フレームに対して座クッションが嵌め込み可能な椅子であれば椅子の形状や大きさに拘束されることなく簡易収納具を取り付けることが可能となる。また、簡易収納具にはそのポケット部に遊技台の遊技ガイドなどを入れておき、簡易収納具を椅子の側面側に垂れ下がるように取り付けることにより着座する遊技者には利用しやすいものとなる。更に、先端にフック部材を突設した連結索条の基端を収納具本体に連結しておくことでポケット部に収納した遊技ガイドなどの持ち去りや紛失を防止できる。
【図面の簡単な説明】
【０００８】
【図１】本考案の実施例を示す椅子用簡易収納具の正面図である。
【図２】本考案の椅子用簡易収納具の取付け短バンド部を背面側より見た部分斜視図である。
【図３】図１に示す椅子用簡易収納具の中央縦断面図である。
【図４】椅子の座板ベースに簡易収納具を取り付けた要部を示す説明図である。
【図５ａ】取付け作用を説明するため、椅子の座板ベースより座クッションを捲り剥がす状態の斜視図である。
【図５ｂ】同、座板ベース内に簡易収納具の取付け短バンドを挿入し、座クッションを嵌め戻そうとしている状態の斜視図である。
【図５ｃ】同、座クッションを座板ベースに嵌め込んで簡易収納具が挟持された状態、即ち使用状態の斜視図である。
【考案を実施するための形態】
【０００９】
以下、本考案を図示する実施形態により具体的に説明する。図１は、本考案の一実施形態の全体構成を示しており、方形状の簡易収納具１は本体２の表面側２ａにポケット部３を有し、本体２の裏面側２ｂの上縁部には２条の吊下げ用の取付け短バンド４、４の基部が固定具５により本体２に固定されている。ポケット部３は、本体２の表面側２ａの略半分下方位置に、メッシュ地のポケット生地３ａを重合して上方を除く三方を縫着して形成されている。ポケット生地３ａは透明または不透明の生地であってもよい。
【００１０】
２条の取付け短バンド４、４には先端に向けてその帯地６に２個の突子７、８が帯地６の表裏面に突子７、８の円弧状の頭部７ａ、８ａが突出するようにかしめられ、所定の間隔をあけて固定されている。該取付け短バンド４は強靭な生地からなる帯地６で形成されている。突子７、８は２個に限定されず３個以上の複数個であってもよく、突子７、８の頭部の形状は円弧状でなくてもよい。また、取付け短バンド４は収納具１の安定保持の観点から２条としたが、１条の短バンドであってもよい。
【００１１】
また、本体２の表面側２ａには一方の取付け短バンド４を固定する固定具５により係合穴付きの取付け片９が固定されており、該取付け片９の係合穴１０に先端にフック部材１１を突設した連結索条１２の基端を保持する二重環１３が連結されている。
【００１２】
尚、本体２は補強のため合成樹脂板またはシートからなる芯地１４を介在させ、芯地１４の表裏面を生地１５で被覆し、四周を縫製して形成される。生地１５に強度があればあえて補強のための芯地１４は介在しなくても良い。
【００１３】
次に、収納具１が取り付けられる椅子２０について説明する（図５ａ参照）。遊技店用の椅子２０は個々の遊技台の前に固定され移動できないように床面に脚部２５が固定されている。この椅子２０は座板ベース２１の座板フレーム２３に座クッション２２が嵌め込み可能に取り付けられており、汚れや損傷等のあった場合に座クッション２２自体を取替えることができるようになっている。従って、座クッション２２は座板フレーム２３から剥がすようにして捲ることができる。本考案の簡易収納具１は、座クッション２２が座板フレーム２１から剥がして捲り上げることができる椅子を対象とする。尚、図中２４は背凭れを示す。
【００１４】
次に本考案の作用を説明する。
図５ａに示すように、遊戯店用の椅子２０の座板ベース２１に対し座クッション２２を側面側より捲り上げるようにすると、座クッション２２は座板フレーム２３から外れ、座板ベース２１の内部が露出する。この露出した座板ベース２１の側面側に図５ｂのように収納具１の２条の取付け短バンド４を差し入れ、該短バンド４に形成した２個の突子７、８が座板ベース２１内に位置するようにする。次いで、座クッション２２を座板フレーム２３に戻すように嵌め込むことで２条の短バンド４に形成された突子７、８の頭部７ａ、８ａが座クッション２２と座板フレーム２３にて挟接され、収納具１は椅子側面に垂下状に保持される（図５ｃ参照）。
【００１５】
簡易収納具１は上記のように、本体２に突設した取付け短バンド４の第１の突子７が座板フレーム２３の上端縁に接触して滑りが止められ、第２の突子８が座板ベース２１と座板フレーム２３及び座クッション２２の圧接により滑り移動が抑えられている。また、収納具１の取付け位置は、突子７、または突子８と座板フレーム２３との挟接位置を代えることにより調整可能となっている。
【００１６】
該収納具１にはポケット部３が形成されており、該ポケット部３に遊技ガイドなどのゲーム用告知物や広告宣伝印刷物Ａ等を収納することで顧客サービスの差別化を図ることができる。
【００１７】
また、前記したいずれかの取付け短バンド４と一体に本体２に固定された取付け片９に、先端にフック部材１１を突設した連結索条１２の基端が連結されており、該フック部材１１でポケット部３に収容されている遊技ガイドＡなどを繋ぎ止めることで遊技ガイドなどの持ち去りや紛失を防止している。
【符号の説明】
【００１８】
１    簡易収納具
２    収納具本体
３    ポケット部
４    取付け短バンド
５    固定具
６    帯地
７、８    突子
７ａ、８ａ    頭部
９    取付け片
１０    係合穴
１１    フック部材
１２    連結索条
２０    椅子
２１    座板ベース
２２    座クッション
２３    座板フレーム
【図１】
0003172787.tif 000003
【図２】
0003172787.tif 000004
【図３】
0003172787.tif 000005
【図４】
0003172787.tif 000006
【図５ａ】
0003172787.tif 000007
【図５ｂ】
0003172787.tif 000008
【図５ｃ】
0003172787.tif 000009
【手続補正書】
【提出日】平成23年10月27日(2011.10.27)
【手続補正１】
【補正対象書類名】実用新案登録請求の範囲
【補正対象項目名】全文
【補正方法】変更
【補正の内容】
【実用新案登録請求の範囲】
【請求項１】
本体２の表面側に上方を除く三方を縫着して形成されたポケット部３を備え、且つ該本体２の裏面側の上縁部に、バンド帯地６の長手方向に沿って複数の突子７、８を設けた取付けバンド４の基部を固定した椅子用簡易収納具。
【請求項２】
前記本体２の表面側にあって、いずれかの取付けバンド４と一体に本体に固定された取付け片９を備え、該取付け片９に先端にフック部材１１を突設した連結索条１２の基部を着脱可能に設けた請求項１記載の椅子用簡易収納具。
【手続補正２】
【補正対象書類名】明細書
【補正対象項目名】全文
【補正方法】変更
【補正の内容】
【考案の詳細な説明】
【技術分野】
【０００１】
本考案は、主に遊技店等の椅子の側面に自在に取付けられる宣伝及び販売促進のための遊技ガイドなどを収納する椅子用簡易収納具に関する。
【背景技術】
【０００２】
パチンコ店やスロット店等の遊技店の椅子は、座板ベースに座クッションを取り外し可能に嵌め込んだものが使用されている。これは不特定多数の客が座り汚れ易く、傷み易いことから座クッションのみを交換可能とする要請による。また、座クッションの交換により、顧客の視覚的効果を狙い販売促進を意図する場合もある。
【０００３】
また、遊技店では新しい遊技ゲームを導入した場合、客に対しゲーム内容等を説明した遊技ガイドを配布する必要がある。客が遊技しながら遊技ガイドを容易に見られるよう遊技ガイドは客の身近に置いておく必要がある。
【考案の概要】
【考案が解決しようとする課題】
【０００４】
本考案は、このような課題を考慮してなされたものであり、遊技店の椅子の多くが座板ベースに座クッションを嵌め込んだものが使用されていることに着目し、この座板ベースと座クッションにて挟持し、椅子の形状や大きさなどに影響されずに椅子の側面側に垂れ下がるように保持し得る簡易収納具を提供することを目的とする。
【課題を解決するための手段】
【０００５】
上記目的を達成するため、請求項１に記載の椅子用簡易収納具は、本体の表面側に上方を除く三方を縫着して形成されたポケット部を備え、且つ本体の裏面側の上縁部に、バンド帯地の長手方向に沿って複数の突子を設けた取付けバンドの基部を固定して構成されている。
【０００６】
また、請求項２に記載の椅子用簡易収納具は請求項１に記載の椅子用簡易収納具であって、前記いずれかの取付けバンドと一体に本体に固定された取付け片を備え、該取付け片の係合穴に、先端にフック部材を突設した連結索条を着脱可能に設けて構成されている。
【考案の効果】
【０００７】
本考案によれば、簡易収納具の突子付きの取付けバンドを、遊技店用の椅子の座クッションを捲り上げて座板ベース内に置き、座クッションを嵌め戻すときに座クッションの押し圧にて前記突子付きの取付けバンドを座板フレームと座クッションの間で挟持して簡易収納具は取り付けられる。本考案によれば、座板フレームに対して座クッションが嵌め込み可能な椅子であれば椅子の形状や大きさに拘束されることなく簡易収納具を取り付けることが可能となる。また、簡易収納具にはそのポケット部に遊技台の遊技ガイドなどを入れておき、簡易収納具を椅子の側面側に垂れ下がるように取り付けることにより着座する遊技者には利用しやすいものとなる。更に、先端にフック部材を突設した連結索条の基端を収納具本体に連結しておくことでポケット部に収納した遊技ガイドなどの持ち去りや紛失を防止できる。
【図面の簡単な説明】
【０００８】
【図１】本考案の実施例を示す椅子用簡易収納具の正面図である。
【図２】本考案の椅子用簡易収納具の取付けバンド部を背面側より見た部分斜視図である。
【図３】図１に示す椅子用簡易収納具の中央縦断面図である。
【図４】椅子の座板ベースに簡易収納具を取り付けた要部を示す説明図である。
【図５ａ】取付け作用を説明するため、椅子の座板ベースより座クッションを捲り剥がす状態の斜視図である。
【図５ｂ】同、座板ベース内に簡易収納具の取付けバンドを挿入し、座クッションを嵌め戻そうとしている状態の斜視図である。
【図５ｃ】同、座クッションを座板ベースに嵌め込んで簡易収納具が挟持された状態、即ち使用状態の斜視図である。
【考案を実施するための形態】
【０００９】
以下、本考案を図示する実施形態により具体的に説明する。図１は、本考案の一実施形態の全体構成を示しており、方形状の簡易収納具１は本体２の表面側２ａにポケット部３を有し、本体２の裏面側２ｂの上縁部には２条の吊下げ用の取付けバンド４、４の基部が固定具５により本体２に固定されている。ポケット部３は、本体２の表面側２ａの略半分下方位置に、メッシュ地のポケット生地３ａを重合して上方を除く三方を縫着して形成されている。ポケット生地３ａは透明または不透明の生地であってもよい。
【００１０】
２条の取付けバンド４、４には帯地６の長手方向に２個の突子７、８が帯地６の表裏面に突子７、８の円弧状の頭部７ａ、８ａが突出するようにかしめられ，所定の間隔をあけて固定されている。該取付けバンド４は強靭な生地からなる帯地６で形成されている。突子７、８は２個に限定されず３個以上の複数個であってもよく、突子７、８の頭部の形状は円弧状でなくてもよい。また、取付けバンド４は収納具１の安定保持の観点から２条としたが、１条の取付けバンドであってもよい。
【００１１】
また、本体２の表面側２ａには一方の取付けバンド４を固定する固定具５により係合穴付きの取付け片９が固定されており、該取付け片９の係合穴１０に先端にフック部材１１を突設した連結索条１２の基端を保持する二重環１３が連結されている。
【００１２】
尚、本体２は補強のため合成樹脂板またはシートからなる芯地１４を介在させ、芯地１４の表裏面を生地１５で被覆し、四周を縫製して形成される。生地１５に強度があればあえて補強のための芯地１４は介在しなくても良い。
【００１３】
次に、収納具１が取り付けられる椅子２０について説明する（図５ａ参照）。
遊技店用の椅子２０は個々の遊技台の前に固定され移動できないように床面に脚部２５が固定されている。この椅子２０は座板ベース２１の座板フレーム２３に座クッション２２が嵌め込み可能に取り付けられており、汚れや損傷等のあった場合に座クッション２２自体を取替えることができるようになっている。従って、座クッション２２は座板フレーム２３から剥がすようにして捲ることができる。本考案の簡易収納具１は、座クッション２２が座板フレーム２１から剥がして捲り上げることができる椅子を対象とする。尚、図中２４は背凭れを示す。
【００１４】
次に本考案の作用を説明する。
図５ａに示すように、遊戯店用の椅子２０の座板ベース２１に対し座クッション２２を側面側より捲り上げるようにすると、座クッション２２は座板フレーム２３から外れ、座板ベース２１の内部が露出する。この露出した座板ベース２１の側面側に図５ｂのように収納具１の２条の取付けバンド４を差し入れ、該取付けバンド４に形成した２個の突子７、８が座板ベース２１内に位置するようにする。次いで、座クッション２２を座板フレーム２３に戻すように嵌め込むことで２条の取付けバンド４に形成された突子７、８の頭部７ａ、８ａが座クッション２２と座板フレーム２３にて挟接され、収納具１は椅子側面に垂下状に保持される（図５ｃ参照）。
【００１５】
簡易収納具１は上記のように、本体２に突設した取付けバンド４の第１の突子７が座板フレーム２３の上端縁に接触して滑りが止められ、第２の突子８が座板ベース２１と座板フレーム２３及び座クッション２２の圧接により滑り移動が抑えられている。また、収納具１の取付け位置は、突子７、または突子８と座板フレーム２３との挟接位置を代えることにより調整可能となっている。
【００１６】
該収納具１にはポケット部３が形成されており、該ポケット部３に遊技ガイドなどのゲーム用告知物や広告宣伝印刷物Ａ等を収納することで顧客サービスの差別化を図ることができる。
【００１７】
また、前記したいずれかの取付けバンド４と一体に本体２に固定された取付け片９に、先端にフック部材１１を突設した連結索条１２の基端が連結されており、該フック部材１１でポケット部３に収容されている遊技ガイドＡなどを繋ぎ止めることで遊技ガイドなどの持ち去りや紛失を防止している。
【符号の説明】
【００１８】
１    簡易収納具
２    収納具本体
３    ポケット部
４    取付けバンド
５    固定具
６    帯地
７、８  突子
７ａ、８ａ  頭部
９    取付け片
１０    係合穴
１１    フック部材
１２    連結索条
２０    椅子
２１    座板ベース
２２    座クッション
２３    座板フレーム